(57)【特許請求の範囲】
【請求項１】
建物の基礎内の床下地盤面に防湿コンクリートが打設され、その上の１階床部に断熱層を有し、布基礎外周部に設けられた換気口からの外気の流入出によって１階床下空間の換気を行う建物の床下調湿構造において、
前記１階床部の最下層に多孔質の調湿面材が配置され、該調湿面材の上部に前記１階床部の構造材が設けられるか、又は当該調湿面材が前記１階床部の構造材を兼ね、該調湿面材で前記１階床部の下部全面が覆われていることを特徴とする建物の床下調湿構造。
【請求項２】
前記調湿面材の端部は、前記基礎を形成する基礎梁上に支持されていることを特徴とする請求項１に記載の建物の床下調湿構造。
【請求項３】
前記構造材は、所定のピッチで設けられる根太であって、該根太の間に断熱材が設けられていることを特徴とする請求項１又は請求項２に記載の建物の床下調湿構造。
【請求項４】
前記調湿面材は、鉄筋またはラス網で補強された軽量気泡コンクリートパネルで構成されることを特徴とする請求項１又は請求項２に記載の建物の床下調湿構造。
【発明の詳細な説明】
【技術分野】
【０００１】
本発明は、建物の基礎内の床下地盤面に防湿コンクリートが打設され、その上の１階床部に断熱層を有し、布基礎外周部に設けられた換気口からの外気の流入出によって１階床下空間の換気を行う建物の床下調湿構造に関するものである。
【背景技術】
【０００２】
近年、住宅の断熱性能の向上を目的として１階床の下面にグラスウール等の繊維系の断熱材やポリエチレンフォーム等の発泡樹脂系の断熱材を貼付する床断熱工法が行われている。
【０００３】
また、湿気による腐朽（ふきゅう）を防いで住宅の耐久性を向上させるために布基礎内部の地盤面を防湿コンクリートで被覆した上で、換気口を設ける等して床下空間の通風換気を行うことが行われている。このような防湿工法は積雪や冷え対策の為冬季に換気口を長期間閉鎖する寒冷地を中心に普及してきたものである。
【０００４】
しかしながら、上記の床断熱工法と防湿工法とを高温多湿な温暖地域で併用した場合、夏季において高温で水分を多く含んだ外気が開放された床下換気口から床下空間に流入し、この外気が床下地盤面からの放射により外気に比べて低温となっている床下面に接触することにより床を構成する根太等の部材や断熱材の表面に結露が発生する虞がある。
【０００５】
断熱材がグラスウール等の繊維系の場合、ガラス繊維層を包むアルミ蒸着ポリエチレンフィルムの部分で結露が発生する。また、アルミ蒸着ポリエチレンフィルムには結露防止を目的に水蒸気を通過させる穴加工が施されているが、夏季には水蒸気がこの穴を通過して断熱材内部で結露が生じ断熱性を低下させる虞がある。さらに、この水分により木質系の床構成部材を腐朽させる虞がある。断熱材がポリスチレンフォーム等の発泡樹脂系の場合は断熱材自体は吸湿しないので断熱性が低下することはないが結露水により床を構成する部材の耐久性を低下させる虞がある。
【０００６】
一方、特開２００１−０３２３９４号公報（特許文献１）には、床下空間での結露を防止するために床下の地面上に調湿層を敷設する技術が開示されている。
【０００７】
【特許文献１】特開２００１−０３２３９４号公報
【発明の開示】
【発明が解決しようとする課題】
【０００８】
しかしながら、特許文献１に示されているように床下の地面上に調湿層が敷設されていると、床下の空気が停滞している場合には調湿層として機能するが、調湿層と断熱材層との間の空間を通過する高温で水分を多く含んだ外気に対しては、調湿層が外気の水分を吸収する間もなく断熱材層の表面で結露が生じてしまい、調湿層がその機能を発揮しない虞がある。
【０００９】
また、調湿層を防湿コンクリートの上に敷設した場合、防湿コンクリートの打設から間もなく、該防湿コンクリート内に水分が多量に残留している状態ではコンクリートからの放出水分を調湿層が吸収してしまい、空気中の水分の吸収に寄与しない虞がある。更に調湿層を防湿コンクリートの上に敷設した場合、水分が飽和した調湿層によりコンクリートの放湿が阻害され、また調湿層の水分の放出も極めて遅くなるという問題がある。
【００１０】
本発明は前記課題を解決するものであり、その目的とするところは、建物の基礎内の床下地盤面に防湿コンクリートが打設され、その上の１階床部に断熱層を有する床下空間に布基礎外周部に設けられた換気口から高温で水分を多く含んだ外気が流入した場合でも効果的に調湿を行い床下空間に結露を生じさせることがない建物の床下調湿構造を提供せんとするものである。
【課題を解決するための手段】
【００１１】
前記目的を達成するための本発明に係る建物の床下調湿構造の第１の構成は、建物の基礎内の床下地盤面に防湿コンクリートが打設され、その上の１階床部に断熱層を有し、布基礎外周部に設けられた換気口からの外気の流入出によって１階床下空間の換気を行う建物の床下調湿構造において、前記１階床部の最下層に多孔質の調湿面材が配置され、該調湿面材の上部に前記１階床部の構造材が設けられるか、又は当該調湿面材が前記１階床部の構造材を兼ね、該調湿面材で前記１階床部の下部全面が覆われていることを特徴とする。
【００１２】
また、本発明に係る建物の床下調湿構造の第２の構成は、前記第１の構成において、前記調湿面材の端部は、前記基礎を形成する基礎梁上に支持されていることを特徴とする。
【００１３】
また、本発明に係る建物の床下調湿構造の第３の構成は、前記第１、第２の構成において、前記構造材は、所定のピッチで設けられる根太であって、該根太の間に断熱材が設けられていることを特徴とする。
【００１４】
また、本発明に係る建物の床下調湿構造の第４の構成は、前記第１、第２の構成において、前記調湿面材は、鉄筋またはラス網で補強された軽量気泡コンクリートパネルで構成されることを特徴とする。
【発明の効果】
【００１５】
本発明に係る建物の床下調湿構造の第１の構成によれば、建物の基礎内の床下地盤面に防湿コンクリートが打設され、その上の１階床部に断熱層を有する床下空間に布基礎外周部に設けられた換気口から高温で水分を多く含んだ外気が流入した場合でも１階床部の最下層に配置した多孔質の調湿面材により防湿コンクリートから上方に離間した位置で効果的に調湿を行うことが出来、床下空間の結露を防止することが出来るため１階床部の断熱層の断熱性能の維持と建物の耐久性を向上することが出来る。
【００１６】
また、防湿コンクリートから放出される水分を多孔質の調湿面材が直接吸収することがないので外気の調湿機能を維持出来る。また、１階床部の根太等を下地材としてビスや釘等により少なくとも自重を保持可能な多孔質の調湿面材を１階床部の最下層に容易に取り付けて配置することが出来る。
【００１７】
また、防湿コンクリート上面が開放されているので防湿コンクリートの余剰水分の放出が短期間に行われ、防湿コンクリートの水分を要因とする湿気の滞留が生じにくい。
【００１８】
また、本発明に係る建物の床下調湿構造の第４の構成によれば、多孔質の調湿面材を鉄筋またはラス網で補強された軽量気泡コンクリートパネルで構成することにより床仕上げ材や断熱材の荷重や床面への積載荷重を負担することが出来、床仕上げ材や断熱材の下地材として利用することも出来る。また、吸湿時の重量増加に対しても安全性を高めることが出来る。
【００１９】
また、無機質材料で構成されているため湿気を含んだ状態が継続しても腐朽したり著しく強度が低下することがなく、耐久性が高い。
【発明を実施するための最良の形態】
【００２０】
図により本発明に係る建物の床下調湿構造の一実施形態を具体的に説明する。
【実施例１】
【００２１】
先ず、図１を用いて本発明に係る建物の床下調湿構造の第１実施形態について説明する。図１は本発明に係る建物の床下調湿構造の第１実施形態の構成を示す断面説明図である。
【００２２】
図１において、建物の基礎内の床下地盤面１には防湿コンクリート２が打設され、その上の１階床部３には断熱材４による断熱層が設けられている。防湿コンクリート２は厚さ６０mm以上程度のコンクリートを打設するか、或いは厚さ０．１mm程度のポリエチレンフィルム等の防湿シートとコンクリートの打設を併用したものが採用される。
【００２３】
断熱材４は圧縮強度の低いグラスウール等の繊維系断熱材やポリエチレンフォーム等の発泡系断熱材等が採用されており、床下地材５からの荷重を受けないように所定のピッチで配置された根太６上に載置して支持された床下地材５と根太６との間に形成される空間に嵌め込まれている。
【００２４】
床下地材５を支持する根太６の下面には多孔質の調湿面材７がビスや釘により根太６に固定されており、該調湿面材７が１階床部３の最下層に配置される。ここで、調湿とは水分を吸収したり放出して１階床下空間８内の湿度を調節するものである。
【００２５】
調湿面材７は根太６に取り付けた状態で少なくとも自重を支持出来る程度の強度を有するように板状面材で成形されており、布基礎９の外周部に設けられた換気口10からの外気の流入出によって１階床下空間８の換気を行う床下調湿構造において、調湿面材７は換気口10から流入した外気から吸収し得る水分の重量も含む自重を支持出来る強度を有して構成される。
【００２６】
多孔質の調湿面材７は鉄筋、ラス網で補強された軽量気泡コンクリートパネル「以下、「ＡＬＣパネル」という）で構成することが出来る。ＡＬＣパネルの厚さは３０mm以上且つ１５０mm以下が好ましい。多孔質の調湿面材７としてはＡＬＣパネルの他にゼオライトパネル、珪藻土パネルを適用することも出来る。
【００２７】
ここで、ゼオライト（沸石）は火山岩が凝固して出来た鉱物でケイ素(Si)とアルミニウム(Al)が酸素(O)を介して結合したケイ酸アルミが主体の多孔質鉱石であり、これを焼成してゼオライトパネルが製造される。
【００２８】
また、珪藻土は藻類(プランクトン)の死骸が海底や湖底に長年にわたって堆積して出来た粘土状の泥土であり、これを焼成して珪藻土パネルが製造される。珪藻土は珪酸（ガラス質）を主体とした珪殻を主成分としており、その特徴は木炭の数千倍という超多孔質で無数の微細な孔（０．１μｍ〜０．２μｍ）を持ち、この超多孔質な構造から表面積が大きく吸水性等の優れた機能を発揮することが出来る。
【００２９】
多孔質の調湿面材７としてＡＬＣパネルを採用した場合、ＡＬＣパネルは５ｋｇ／ｍ２の吸水（水位５mm程度に相当）により変化する重量含水率は１０％〜２７％程度であるため、吸水により強度低下が生じることがなく、根太６下からのビスや釘による打ち上げ施工が可能である。
【００３０】
本実施形態では調湿面材７が断熱材４や根太６等の１階床部３を構成する全ての部材の下部全面を覆う構成であるため１階床部３の構成部材を結露から保護することが出来、結露に強い防錆処理を施したり特別な材料を選定する必要が無く、１階床部３の断熱層の断熱性能の維持と建物の耐久性を向上することが出来る。
【００３１】
また、調湿面材７が１階床部３の最下層に配置され、床下地盤面１上の防湿コンクリート２とは離間され、該防湿コンクリート２と調湿面材７との上下方向（図１の上下方向）の間に換気口10が設けられていることから、防湿コンクリート２を打設した初期の水分の吸収を防止出来、吸水後の水分排除も速やかに行うことが出来る。また、吸湿時の重量増加に対しても強度上支障を生じないため耐久性が確保出来る。尚、図中、11は床仕上げ材であり、12は外壁である。
【実施例２】
【００３２】
次に、図２を用いて本発明に係る建物の床下調湿構造の第２実施形態について説明する。図２は本発明に係る建物の床下調湿構造の第２実施形態の構成を示す断面説明図である。尚、前記第１実施形態と同様に構成したものは同一の符号を付して説明を省略する。
【００３３】
本実施形態では、図２に示すように、鉄筋補強されたＡＬＣパネルからなる調湿面材７の両端部を鉄筋コンクリートや防錆処理された鋼製梁等の基礎梁で支持し、該調湿面材７の上面に圧縮強度の高い断熱材４を載置して断熱層とし、該断熱材４の上面にフローリング材等の床仕上げ材11を敷設したものである。本実施形態においても調湿面材７は１階床部３の最下層に配置される。
【００３４】
鉄筋補強されたＡＬＣパネルからなる調湿面材７は１００mm厚さ以上であれば生活床の下地材として荷重を負担することが出来、該調湿面材７上に断熱材４を施工する際の下地材を兼ねることが出来る。断熱材４としてはポリスチレンフォーム、フェノールフォーム等の圧縮強度が高いものが採用出来る。本実施形態では圧縮強度が１７Ｎ以上のポリスチレンフォーム或いはフェノールフォームを断熱材４として採用している。他の構成は前記第１実施形態と同様に構成され、同様の効果を得ることが出来る。
【産業上の利用可能性】
【００３５】
本発明の活用例として、建物の基礎内の床下地盤面に防湿コンクリートが打設され、その上の１階床部に断熱層を有し、布基礎外周部に設けられた換気口からの外気の流入出によって１階床下空間の換気を行う建物の床下調湿構造に適用することが出来る。
【図面の簡単な説明】
【００３６】
【図１】本発明に係る建物の床下調湿構造の第１実施形態の構成を示す断面説明図である。
【図２】本発明に係る建物の床下調湿構造の第２実施形態の構成を示す断面説明図である。
【符号の説明】
【００３７】
１…床下地盤面
２…防湿コンクリート
３…１階床部
４…断熱材
５…床下地材
６…根太
７…調湿面材
８…１階床下空間
９…布基礎
10…換気口
11…床仕上げ材
12…外壁
【図１】
0004804073.tif 000002
【図２】
0004804073.tif 000003